(57)【要約】【課題】インターネット上のサイトに投稿される作品に必要な部品の入手を簡単にするとともに、投稿者に作品の適正な部品選定を行わせることを企図する投稿作品部品販売システムを提供する。【解決手段】投稿者が端末１０から投稿した作品の設計情報は投稿作品部品販売システム１００のウェブサイト上に掲載される。閲覧者（購入者）は端末４０からウェブサイト上で希望する作品の部品を購入することができる。投稿者が作品の投稿時にその作品の製作に必要な部品を選定する際に、複数の選択肢がある部品について、所定の条件に応じて異なる報酬を投稿者へ提示される。作品が購入されたことに対してその投稿者に対して報酬が付与される。好ましくは、同種の部品について、所定の条件に応じて、特定の部品の報酬と他の部品の報酬より高く設定する。【選択図】図１
2016177427.tif 000002
【特許請求の範囲】
【請求項１】
複数の部品により構成される作品の設計情報の投稿をウェブサイト上で受け付ける投稿受付部と、
受け付けた作品および各作品ごとの部品を対応付けて記憶する作品記憶部と、
必要な部品を管理する部品管理部と、
前記作品を掲載するとともに、その部品を販売するための販売情報をウェブサイト上に掲載する作品掲載部と、
前記投稿者が前記作品の投稿時に前記作品の製作に必要な部品を選定する際に、複数の選択肢がある部品について、所定の条件に応じて異なる報酬を投稿者へ提示する報酬提示部と、
ウェブサイト上に掲載された作品の中のいずれかの作品について閲覧者から部品の購入の意思表示を受け付ける購入受付部と、
前記作品が購入されたことに対して前記投稿者に対して前記報酬を付与する報酬付与部と
を備えた投稿作品部品販売システム。
【請求項２】
所定の条件に応じて、同種の部品について、特定の部品の報酬を他の部品の報酬より高く設定する請求項１に記載の投稿作品部品販売システム。
【請求項３】
前記所定の条件は、自社部品か他社部品かに関する条件である請求項２に記載の投稿作品部品販売システム。
【請求項４】
前記所定の条件は、在庫の有無に関する条件である請求項２に記載の投稿作品部品販売システム。
【請求項５】
前記所定の条件は、販売促進の有無に関する条件である請求項２に記載の投稿作品部品販売システム。
【請求項６】
前記部品管理部は各部品について投稿者の選定を推奨する度合いを表す推奨度データを記憶し、前記推奨度データは前記所定の条件に応じて設定される請求項２〜５のいずれかに記載の投稿作品部品販売システム。
【発明の詳細な説明】
【技術分野】
【０００１】
本発明は、複数の部品により構成される作品の設計情報の投稿をウェブサイト上で受け付け、作品を掲載するとともに、その部品を販売するための販売情報をウェブサイト上に掲載する投稿作品部品販売システムに関する。
【背景技術】
【０００２】
近年、インターネット上で、ものづくりを楽しむ個人向けに、個人が自作した作品等を投稿するサイトが知られている（非特許文献１等）。
【０００３】
特許文献１には、回路パターンを導電ペーストを用いて直接基板に回路描画し、その場で電子部品を実装し、その電子回路キットが稼働させる電子おもちゃ回路組み立て教育プログラムとして、インターネットによるソフトや電子回路の自由な入手と、部品供給メーカとのリンクによるキット部品の入手と、導電ペーストや描画治工具の入手が出来るウェッブサイト販売を行うことが提案されている。
【先行技術文献】
【特許文献】
【０００４】
【特許文献１】特開２００５−２４１６８５号公報
【非特許文献】
【０００５】
【非特許文献１】インターネットサイト  ｉｎｓｔｒｕｃｔａｂｌｅｓ，ＵＲＬ：  ｈｔｔｐ：／／ｉｎｓｔｒｕｃｔａｂｌｅｓ．ｃｏｍ
【発明の概要】
【発明が解決しようとする課題】
【０００６】
上記のようなインターネットサイトに投稿された作品について、閲覧者がその作品を自分で作ってみようとしても、部品数が多いものについてはすべての部品を揃えるのが必ずしも容易ではない。また、そのような部品になじみのない閲覧者にとっては、そもそも、その部品をどこで買っていいかすら分からない。
【０００７】
サイト運営者は、部品を販売するからには、その作品について、投稿者に必要な部品を正しくリストアップして貰うことが好ましい。サイト運営者側ですべての作品について、その実現可能性や部品の適正な選定などをチェックするのは負担が大きい。
【０００８】
本発明はこのような背景においてなされたものであり、その目的は、インターネット上のサイトに投稿される作品に必要な部品の入手を簡単にするとともに、投稿者に作品の適正な部品選定を行わせることを企図する投稿作品部品販売システムを提供することにある。
【課題を解決するための手段】
【０００９】
本発明による投稿作品部品販売システムは、
複数の部品により構成される作品の設計情報の投稿をウェブサイト上で受け付ける投稿受付部と、
受け付けた作品および各作品ごとの部品を対応付けて記憶する作品記憶部と、
必要な部品を管理する部品管理部と、
前記作品を掲載するとともに、その部品を販売するための販売情報をウェブサイト上に掲載する作品掲載部と、
前記投稿者が前記作品の投稿時に前記作品の製作に必要な部品を選定する際に、複数の選択肢がある部品について、所定の条件に応じて異なる報酬を投稿者へ提示する報酬提示部と、
ウェブサイト上に掲載された作品の中のいずれかの作品について閲覧者から部品の購入の意思表示を受け付ける購入受付部と、
前記作品が購入されたことに対して前記投稿者に対して前記報酬を付与する報酬付与部と
を備えたものである。
【００１０】
このシステムにおいて、好ましくは、同種の部品について、所定の条件に応じて、特定の部品の報酬を他の部品の報酬より高く設定する。
【００１１】
前記所定の条件の第１の例は、自社部品か他社部品かに関する条件である。
【００１２】
前記所定の条件の第２の例は、在庫の有無に関する条件である。
【００１３】
前記所定の条件の第３の例は、販売促進の有無に関する条件である。これらの条件は混在して採用することもできる。
【００１４】
前記部品管理部は、例えば、各部品について投稿者の選定を推奨する度合いを表す推奨度データを記憶し、前記推奨度データは前記所定の条件に応じて設定される。
【発明の効果】
【００１５】
本発明において、作品の投稿者に対して報酬を付与することは、部品のリストアップを正しく行うインセンティブを投稿者に与えるよう機能する。
【００１６】
また、同種の部品の複数の選択肢に異なる報酬を投稿者へ提示することは、投稿作品部品販売システムの運営者（サイト運営者）にとって好都合な特定の選択肢が他の選択肢より優先的に投稿者により選択されるよう当該選択肢にバイアスを掛けるよう機能する。
【図面の簡単な説明】
【００１７】
【図１】本発明の実施の形態による投稿作品部品販売システムと、その外部との関係を示す概略図である。
【図２】本発明の実施の形態において、投稿者に自己が投稿する作品の必要なすべての部品を正しくリストアップさせるインセンティブ（動機付け）を与える仕組みを説明するための図である。
【図３】本発明の実施の形態の投稿作品部品販売システムの主要な機能を示すとともに、通信ネットワークを介してつながる外部の端末やサーバを示す図である。
【図４】本発明の実施の形態における作品データベースの構成例を便宜上、テーブル形式で示した図である。
【図５】本発明の実施の形態における部品データベースの構成例を便宜上、テーブル形式で示した図である。
【図６】本発明の実施の形態におけるユーザデータベースの構成例を便宜上、テーブル形式で示した図である。
【図７】本発明の実施の形態において投稿者が作品を投稿するための画面例を示す図である。
【図８】本発明の実施の形態において投稿者が投稿する作品に使用する部品を選定するための画面例を示す図である。
【図９】本発明の実施の形態において部品の選択肢に付される、その部品の選定に対する報酬のランクを示す記号の例を示した図である。
【図１０】図９の画面の変形例を示す図である。
【図１１】本発明の実施の形態において閲覧者に提示される作品リスト画面の例を示した図である。
【図１２】本発明の実施の形態において、１つの作品の作品詳細画面の例を示す図である。
【図１３】本発明の実施の形態における投稿作品部品販売システム（投稿作品部品販売サイト）の動作を説明するためのフローチャートである。
【発明を実施するための形態】
【００１８】
以下、本発明の実施の形態について図面を参照しながら詳細に説明する。
【００１９】
図１に、本実施の形態による投稿作品部品販売システム１００と、その外部との関係を示す概略図を示す。
【００２０】
投稿作品部品販売システム１００は、主として個人である投稿者が製作した作品を受け付けて公開するとともに、閲覧者がその作品の部品を通信販売により購入できるインターネット上のサイトとして提供される。本実施の形態での「作品」は電子工作作品を例とするが必ずしもこれに限るものではない。
【００２１】
より具体的には、投稿者は自己の端末１０から当該サイトにアクセスし、自己の作品を投稿する。以下、便宜上、端末１０を投稿者端末と呼ぶが、投稿者専用の端末という意味ではない。すなわち、端末１０は汎用のコンピュータ端末であり、例えば、パーソナルコンピュータ（ＰＣ）、携帯電話端末、スマートフォン等を含みうる。後述する端末４０についても同様である。投稿内容としては、その作品の名称、動作説明、必要な部品情報等である。投稿者については、好ましくは、投稿に先立って所定のユーザ情報を登録する。登録対象のユーザ情報の例については、後述する。
【００２２】
この投稿を受けて、投稿作品部品販売システム１００は、サイトのウェブ画面上に投稿作品リスト１５０を掲示する。各作品には必要な部品が一覧表としてリストアップされ、かつ、閲覧者がそれらの全ての部品を一括購入することができる手段が提供される。図の例では、作品毎に、閲覧者が一括購入の意思表示をするための「一括購入ボタン」１５１が用意されている。
【００２３】
なお、図１における投稿作品リスト１５０は、簡単な概念を示したのみであり、実際には後述するように、さらに詳細な情報が必要に応じて例えば段階的に提示される。
【００２４】
端末４０から投稿作品リスト１５０を見た閲覧者は、そのうちのいずれかの作品を自分で製作してみたいと思ったとき、その作品の「一括購入ボタン」１５１を押下することにより、すべての部品を一括購入することができる。以下、便宜上、端末４０を閲覧者端末と呼ぶが、閲覧者専用の端末という意味ではない。
【００２５】
この一括購入の指示を受けた投稿作品部品販売システム１００は、その作品の各部品の在庫状況を確認し、必要に応じて特定の部品を部品業者サーバ２０へ「注文」を出力（発注）する。また、倉庫サーバ３０に対して、その作品のすべての部品（部品セット）が揃った段階で、当該購入者へその部品セットを配送するよう配送指示を出力する。
【００２６】
この配送指示を受けた倉庫サーバ３０は、指示を受けた作品のすべての部品が揃ったら、当該部品セットを購入者へ配送（発送）する。
【００２７】
図２により、本実施の形態において、投稿者に自己が投稿する作品の必要なすべての部品を正しくリストアップさせるインセンティブ（動機付け）を与える仕組みを説明する。投稿作品部品販売システム１００のサイト運営者には、投稿作品の部品の販売により（すなわち、閲覧者が作品の部品を購入したとき）利益が得られる。この利益の一部を投稿者へ報酬として支払うことを、投稿作品部品販売システム１００の利用者へ知らしめることにより、投稿者へ前記インセンティブを与えることができる。
【００２８】
報酬としては、次のようなものが考えられる。
・報酬の種類は、投稿作品部品販売システム１００で支払う代金に充当できるポイント、クーポン券、等でありうる。現金や金券を排除するものではない。
・報酬の程度は、基本的に部品セットの販売価格の何パーセントという形式のほか、投稿者が作品の投稿時にその作品の製作に必要な部品を選定する際に、複数の選択肢がある部品について、所定の条件に応じて選択肢ごとに異なる報酬を投稿者へ提示するようにしてもよい。
【００２９】
例えば、所定の条件に応じて、特定の部品の報酬を他の部品の報酬より高く設定する。これはサイト運営者側の意向に基づくものである。所定の条件の第１の例は、自社部品か他社部品かに関する条件である。すなわち、自社部品の報酬を他社部品の報酬より高く設定する。これにより、他社部品に対する自社部品が選定される可能性を高める。
【００３０】
所定の条件の第２の例は、在庫の有無に関する条件である。すなわち、在庫のある部品を在庫のない部品より報酬を高く設定する。これにより、在庫部品が選定される可能性を高める。
【００３１】
所定の条件の第３の例は、販売促進の有無に関する条件である。例えば、販売促進対象の部品を非販売促進対象の部品より報酬を高く設定する。これにより、販売促進対象の部品が選定される可能性を高める。
【００３２】
これらの複数の所定の条件のうち、２つ以上を組み合わせて採用してもよい。組み合わせの方法としては、複数の条件が重複する部品については、それぞれの条件に応じた報酬の程度を予め個別に指定する。あるいは、該当する条件のうちの最大の報酬に合わせる（例えば５％と１０％の場合、１０％とする）、当該複数の条件の報酬を加算する（例えば５％と１０％の場合、１５％とする）、等の対応も考えられる。
【００３３】
図３に、本実施の形態の投稿作品部品販売システム１００の主要な機能を示すとともに、通信ネットワーク６０を介してつながる外部の端末やサーバを示す。図１に示した要素と同様の要素には同じ参照符号を付してある。通信ネットワーク６０は例えばインターネットのようなデータ通信の媒体となる通信経路である。
【００３４】
投稿作品部品販売システム１００は、通信ネットワーク６０を介して、投稿者端末１０、部品業者サーバ２０、倉庫サーバ３０、閲覧者端末４０等の外部の装置とつながる。
【００３５】
投稿作品部品販売システム１００は、主として、通信部１１０と、データ処理部１２０と、記憶部１３０とを備える。
【００３６】
通信部１１０は、データ処理部１２０が通信ネットワーク６０を介して、上記のような外部の装置とデータを送受信するための装置である。
【００３７】
データ処理部１２０は、投稿作品部品販売システム１００に必要な各種の処理（制御および管理等を含む）を行う部位である。この例では、データ処理部１２０は、投稿受付部１２１、作品管理部１２２、作品掲載部１２３、購入受付部１２４、部品管理部１２５、配送指示部１２６、決済処理部１２７、および報酬処理部１２８を備える。
【００３８】
記憶部１３０は、投稿された作品を記憶する作品データベース１３１と、各作品の製作に必要なすべての部品を記憶する部品データベース１３３と、投稿作品部品販売システム１００の登録ユーザの情報を記憶するユーザデータベース１３５とを有する。
【００３９】
投稿受付部１２１は、投稿者端末１０から通信ネットワーク６０を介して、複数の部品により構成される作品の設計情報の投稿をウェブサイト上で受け付ける手段を構成する。
【００４０】
作品管理部１２２は、投稿受付部１２１で受け付けた作品および各作品ごとの部品を対応付けて、記憶部１３０内の作品データベース１３１に記憶して管理する手段を構成する。
【００４１】
作品掲載部１２３は、作品データベース１３１に記憶されたすべての作品または選択された一部の作品について、当該作品を掲載するとともに、その部品を販売するための販売情報をウェブサイト上に掲載する。
【００４２】
購入受付部１２４は、閲覧者端末４０からウェブサイト上に掲載された作品の中のいずれかの作品について閲覧者から部品の購入（特に一括購入）の意思表示を受け付ける手段を構成する。
【００４３】
部品管理部１２５は、作品の受付時に、部品データベース１３３に必要な部品を記憶して在庫等を管理するとともに、必要時に部品業者サーバ２０へ部品を発注する手段を構成する。また、部品管理部１２５は、作品の投稿者が部品を選定する際に、投稿者により入力された部品の検索や選択肢の提示を支援する。
【００４４】
配送指示部１２６は、必要時に倉庫サーバ３０へ配送を指示する手段を構成する。
【００４５】
決済処理部１２７は、代金の決済の方法（クレジット、振り込み、代引き等）の決定およびその方法によっては決済の実行を行う。本実施の形態における決済処理には、購入者にポイントがある場合にポイントによる代金の全部または一部の充当などの処理も含みうる。
【００４６】
報酬処理部１２８は、投稿者が作品の投稿時にその作品の製作に必要な部品を選定する際に、複数の選択肢がある部品について、所定の条件に応じて異なる報酬を投稿者へ提示する手段、および、前記作品が購入されたことに対して投稿者に対して当該報酬を付与する手段を構成する。
【００４７】
図４に、作品データベース１３１の構成例を便宜上、テーブル形式で示す。作品データベース１３１の管理するデータ項目としては、作品の識別情報である作品ＩＤ、作品名、投稿者のユーザ識別情報である投稿者ＩＤ、画像、説明、当該作品に使用されるすべての部品を特定するための使用部品ＩＤ群、等である。作品名、画像、説明、使用部品等は後述するように投稿者により入力された情報に基づく情報である。
【００４８】
図５に、部品データベース１３３の構成例を便宜上、テーブル形式で示す。部品データベース１３３の管理するデータ項目としては、部品ＩＤ、部品の種類、型番、内容、発注先、在庫、価格（仕入れ価格および販売価格）、推奨度、等である。推奨度とは、投稿者が作品の投稿時にその作品の製作に必要な部品を選定する際に、複数の選択肢がある部品について、提示される異なる報酬の程度、すなわち、各部品について投稿者の選定を推奨する度合いを表す推奨度データを表す。図５（ａ）では、推奨度データとして、Ａ，Ｂの２段階の例を示しているのに対して、図５（ｂ）ではＡ，Ｂ，Ｃの３段階を示している。推奨度は、後述する報酬のランクに対応している。例えば、２段階のＡ，Ｂはそれぞれ、５％、１％であり、３段階のＡ，Ｂ、Ｃはそれぞれ、１０％、５％、１％である。これらの段階数（ランク数）や、各ランクの具体的な割引率の数値はあくまで例示であり、これらに限るものではない。
【００４９】
図６は、ユーザデータベース１３５の構成例を便宜上、テーブル形式で示す。ユーザデータベース１３５の管理するデータ項目としては、ユーザＩＤ、氏名、ニックネーム、住所、メールアドレス、獲得ポイント残高、クレジットカード情報、等である。獲得ポイント残高とは、付与された報酬の一例としてのポイントの合計残高である。
【００５０】
図７は、投稿者が作品を投稿するための画面例を示している。
【００５１】
このサイトの閲覧者が作品の投稿を行おうとする際、画面上に用意された「投稿」などの投稿の意思表示をするためのボタンやリンク（図示せず）を指示すると、図７に示すような投稿画面が表示される。図７は入力の途中経過を示している。
【００５２】
投稿画面には、作品名、画像、説明、動画、タグ、回路、ファイル、部品リストなどの入力項目がある。
【００５３】
「作品名」は、投稿者が自己の作品に付けた名称であり、投稿者が自由に入力することができる。この例では、「発光する名刺」と入力されている。
【００５４】
「画像」は、投稿者が自己の作品を静止画として紹介するための画像ファイルを入力するための項目である。
【００５５】
「説明」は、投稿者が自己の作品を説明するテキスト（文章）を入力するための項目である。この例のテキストは、「ＵＳＢポートに挿入すると発光する名刺を作ってみた。」というものである。
【００５６】
「動画」は、投稿者が必要に応じて自己の作品を動画として紹介するための動画ファイルを入力するための項目である。
【００５７】
「タグ」は、閲覧者が作品を検索する際のキーとなる文字列（タグまたはキーワード）をを格納するための項目である。このような文字列は投稿者が入力した作品名や説明から自動的に抽出するか、または、投稿者が入力する。この例では、「ＵＳＢポート」「発光」「名刺」というタグの例を示している。
【００５８】
「回路」は、電子工作作品の回路図などの画像や説明を投稿者が入力するための項目である。この例では、入力欄などのオープンを指示するアイコン（ここでは、白抜き＋マーク）を指示すると入力欄（図示せず）が開く構成となっている。
【００５９】
「ファイル」は、この作品の製作に利用できるサンプル画像などを投稿者が入力するための項目である。このようなサンプル画像としては、出願人の提供する導電性インクの印刷パターン画像などがありうる。この例では、白抜き＋マークを指示すると入力欄（図示せず）が開く構成となっている。
【００６０】
「部品リスト」は、この作品の製作に必要となる一組の部品を投稿者が選定して入力するための項目である。この例では、白抜き＋マークを指示すると、図８に示すような画面が開く。
【００６１】
図８は、投稿者が投稿する作品に使用する部品を選定するための画面例を示す。
【００６２】
投稿者は、図７の「部品リスト」の入力のためのアイコン（ここでは白抜き＋マーク）を指示すると、図８（ａ）の画面が開き、ここから部品を１個ずつ入力していく。なお、空欄６２は予め用意された部品以外の部品を投稿者が指定する際に任意の文字列を入力するためのものである。入力された部品と同じまたは近い部品が部品データベース１３３内にあれば、その部品の選択肢が例えばプルダウンメニューとして表示される。図の例では、部品種類「電池」「ＬＥＤ」「ＩＣ」「紙類」は使用頻度の高いものとして、あらかじめ提示されている。
【００６３】
入力したい部品種類を指定すると、図８（ｂ）のようなプルダウンメニューが開く。指定された部品種類は反転表示している。このブルダウンメニューに当該部品種類にその部品種類に属する部品の選択肢が現れる。そのうちの１つの選択肢を投稿者が選択すると、図８（ｃ）に示すように画面上に部品リストのエリアに順次追加表示されていく。この例では、ＣＲ２０３２コイン電池とＣＲ２０３２コイン電池ケースが部品リストとして表示されている。同じ部品が複数必要な場合には、投稿者は表示された部品の数量を表す数値（初期値１）の数量を増分してその数量を変更することができるようになっている。数量の指定の仕方はこのような方法に限るものではない。例えば、数値を直接入力指定する方法であってもよい。
【００６４】
図８（ｄ）は、その後に投稿者が次にＬＥＤを選択しようとしている様子を示している。
【００６５】
部品の選択肢にはその部品の選定に対する報酬のランクを示す記号（この例では星印）が付されている。  図９（ａ）にそのようなランクの一例を示す。この例では、星印が「おすすめ部品  ポイント５％」、記号なしが「その他部品ポイント１％」として投稿者に提示される。このような情報は投稿画面あるいは投稿規約などにおいて、あらかじめ投稿者に知らしめられる。例えば、「ポイント１０％」はその部品の販売価格の１０％が報酬として投稿者に付与されることを意味する。投稿者に対する報酬の付与は、投稿の行為に対して１回だけとするか、あるいは、閲覧者が投稿者の作品を購入する都度とするかは、サイト運営者による。
【００６６】
図９（ｂ）は、図９（ａ）の変形例を示す。図９（ａ）では部品の選択肢に付与される推奨度の段階を２段階（星印と無印）としたが、図９（ｂ）の例では、推奨度の段階を星印が「おすすめ部品  ポイント１０％」、菱形印が「準おすすめ部品  ポイント５％」、記号なしが「その他部品ポイント１％」の３段階（星印と菱形印と無印）としている。
【００６７】
２段階の推奨度の要因としては、上述した第１、第２、第３のいずれかの所定の条件を採用することができる。３段階の推奨度の要因としては、第１、第２、第３のいずれかの所定の条件の組み合わせが考えられる。例えば、販売促進対象の部品を「おすすめ部品」としてポイント１０％、自社部品を準おすすめ部品としてポイント５％、その他部品としてポイント１％、とすることができる。
【００６８】
図１０は、図８の画面の変形例を示す。この例では、図９（ｂ）に対応した例として、部品の選択肢に星印と菱形印と無印の３種類が表示されている。
【００６９】
図１１は、このサイトにおいて、閲覧者に提示される作品リスト画面の例を示している。
【００７０】
この例では、複数の投稿作品が作品名と画像と説明のみ、一覧状態で示されている。閲覧者が特定の作品の詳細を見たい場合には、その作品を指示することにより、図１２の画面へ移行する。この指示は、例えば作品名や画像に対してクリックやタッチ等の操作を行うことにより実行できる。
【００７１】
図１２は、１つの作品の作品詳細画面の例を示している。作品詳細画面では、その作品について投稿者が入力した情報として、作品名７１、画像７２、説明７３等が表示される。また、部品を購入するための情報が提示される。この例では、この作品を製作するための個別部品を購入するためのエリア（部品購入エリア）７４と、すべての部品を一括購入するためのエリア（一括購入エリア）７５とを示している。
【００７２】
閲覧者は部品購入エリア７４で必要な部品の個数を入力して「カートに入れる」ボタン７４ａを指示することにより、それらの部品がカートに格納される。また、一括購入エリア７５で購入セット数を入力して「カートに入れる」ボタン７５ａを指示することにより、そのセット数の部品がカートに格納される。
「カートを確認する」ボタン７６を指示することにより、現在のカートの中身を確認することができる。その後に閲覧者が購入の指示を行ったとき、購入の意思表示が確定する。その他、代金の決済方法、商品（部品）の配送方法等の指定については、既存の方法を採用できるので、画面表示および説明を省略する。
【００７３】
図１３に、本実施の形態における投稿作品部品販売システム（投稿作品部品販売サイト）の動作を説明するためのフローチャートを示す。
【００７４】
投稿作品部品販売システムの動作を具現する投稿作品部品販売サイトサーバは、随時、投稿者端末からの作品の投稿を受け付ける（Ｓ１１）。この際、投稿者が部品を選定することに伴って、図８で上述したように報酬の内容を決定する（Ｓ１２）。
【００７５】
投稿作品部品販売サイトサーバは、投稿された作品を既存の作品リストに追加して、掲載する（Ｓ１３）。これにより、当該作品が閲覧者の閲覧に供される。
【００７６】
その後、閲覧者からアクセスがあったとき、投稿作品部品販売サイトサーバは、作品閲覧支援ステップとして、図１１に示したような作品リスト画面を閲覧者の端末に提示する（Ｓ１４）。
【００７７】
ついで、作品購入支援ステップにおいて、閲覧者から、図４で上述したような部品の購入指示を受け付ける（Ｓ１５）。
【００７８】
この作品購入指示の受付後に、購入者との間で購入代金（送料等も含みうる）の決済処理を行う（Ｓ１６）。また、購入者の要求に応じて、購入者にポイントがある場合にポイントによる代金の全部または一部の充当などの処理を行う。また、ユーザの希望も考慮して配送方法の決定を行う。
【００７９】
その後、投稿作品部品販売サイトサーバは、購入指示を受けた作品の部品を手配する処理を行う（Ｓ１７）。この際、各部品の在庫を確認して、必要に応じて、例えば、この販売後の在庫が無くなる（または所定数を切る）ような場合に、当該流通業者のサーバへ、部品の発注処理を行う（Ｓ１８）。発注先に部品によって異なる。部品によって発注の時期や在庫数を異ならせてもよい。
【００８０】
その後、部品の発注を受けた流通業者のサーバは、当該部品を、倉庫サーバへ納品する。
【００８１】
投稿作品部品販売サイトサーバは、倉庫サーバ３０に対して、その作品のすべての部品（部品セット）が揃った段階で当該購入者へその部品セットを配送するよう配送指示を出力する（Ｓ１９）。図１３のフローチャートにおいて「配送指示」が「部品納品」の後になっているが、逆の順もありうる。投稿者へは、当該作品の購入部品に関連した報酬を支払う（Ｓ２０）。この「報酬支払」についても、フローチャート上、必ずしもこの位置に限るものではない。
【００８２】
前記配送指示を受けた倉庫サーバ３０は、指示を受けた作品のすべての部品が揃ったら、当該部品セットを購入者へ配送（発送）する。
【００８３】
なお、サイトの運営者は、投稿内容の審査・修正や実現可能性のチェックを行ってもよいが、投稿内容の審査は行わず、例えば「問題のあるレシピを報告する」ボタン（図示せず）などのユーザからの報告手段を設けるようにしてもよい。ユーザから問題があると報告されたレシピ、あるいは、運営側が巡回して見つけた問題のあるレシピについては、運営側の方から改善提案をするという対応が可能である。
【００８４】
以上、本発明の好適な実施の形態について説明したが、上記で言及した以外にも種々の変形、変更を行うことが可能である。例えば、作品としては電子工作について説明したが、必ずしも電子工作に限るものではない。例えば、手芸品、木工品、等、部品を組み合わせて構成される任意の作品に本発明を適用可能である。
【００８５】
上記実施の形態で説明した機能をコンピュータで実現するためのコンピュータプログラムおよびプログラムをコンピュータ読み取り可能に格納した記録媒体として本願発明を把握することも可能である。
【符号の説明】
【００８６】
１０…端末
２０…部品業者サーバ
３０…倉庫サーバ
４０…端末
６０…通信ネットワーク
７１…作品名
７２…画像
７３…説明
７４…部品購入エリア
７４ａ…「カートに入れる」ボタン
７５…一括購入エリア
７５ａ…「カートに入れる」ボタン
７６…「カートを確認する」ボタン
１００…投稿作品部品販売システム
１１０…通信部
１２０…データ処理部
１２１…投稿受付部
１２２…作品管理部
１２３…作品掲載部
１２４…購入受付部
１２５…部品管理部
１２６…配送指示部
１２７…決済処理部
１２８…報酬処理部
１３０…記憶部
１３１…作品データベース
１３３…部品データベース
１３５…ユーザデータベース
１５０…投稿作品リスト
【図１】
2016177427.tif 000003
【図２】
2016177427.tif 000004
【図３】
2016177427.tif 000005
【図４】
2016177427.tif 000006
【図５】
2016177427.tif 000007
【図６】
2016177427.tif 000008
【図７】
2016177427.tif 000009
【図８】
2016177427.tif 000010
【図９】
2016177427.tif 000011
【図１０】
2016177427.tif 000012
【図１３】
2016177427.tif 000013
【図１１】
2016177427.tif 000014
【図１２】
2016177427.tif 000015